(57)【要約】      （修正有）【課題】仙腸関節固定のための、シャフトとヘッド部材とを含む骨係合部分を備える固定ねじアセンブリを提供する。【解決手段】ヘッド部材１７４と、ヘッド部材に結合された骨係合部分１７６と、を含む固定部材１６８であって、ヘッド部材が略球状の外面と溝とを有する、固定部材と、内側環状リップを有するワッシャ部材であって、ワッシャ部材が、前記ヘッド部材の周りの前記固定部材に動作可能に結合され、ワッシャ部材の内面が略球状であり、ヘッド部材の前記略球状外面に対応し、ワッシャ部材が、固定部材の長軸方向軸に対して多軸移動を可能にする、ワッシャ部材と、を備える固定ねじアセンブリであって、ワッシャ部材が前記固定部材の前記長手方向軸に対して十分に傾斜している場合、骨係合部分が、第一の生体材料窓１７０と第二の生体材料窓１７２とを含み、第一の生体材料窓と第二の生体材料窓が互いに垂直に構成され、かつ重複する。【選択図】図８Ｂ
2020032187.tif 000002
【特許請求の範囲】
【請求項１】
仙腸関節を固定するための固定ねじアセンブリであって、
ヘッド部材と、前記ヘッド部材に結合された骨係合部分と、を含む固定部材であって、前記ヘッド部材が略球状の外面と溝とを有する、固定部材と、
内側環状リップを有するワッシャ部材であって、前記ワッシャ部材が、前記ヘッド部材の周りの前記固定部材に動作可能に結合され、前記ワッシャ部材の内面が略球状であり、前記ヘッド部材の前記略球状外面に対応し、前記ワッシャ部材が、前記固定部材の長軸方向軸に対して多軸移動を可能にする、ワッシャ部材と、を備える固定ねじアセンブリであって、
前記ワッシャ部材が前記固定部材の前記長手方向軸に対して十分に傾斜している場合、
前記骨係合部分が、第一の生体材料窓と第二の生体材料窓とを含み、前記第一の生体材料窓と前記第二の生体材料窓が互いに垂直に構成され、かつ重複する、固定ねじアセンブリ。
【請求項２】
前記固定部材が、前記固定部材の近位部分から遠位部分へ延在する開口部でカニューレ状にされる、請求項１に記載のアセンブリ。
【請求項３】
前記シャフトが、前記第一の生体材料窓に対して９０度ずれている、第三の生体材料窓を含む、請求項１に記載のアセンブリ。
【請求項４】
前記第一、第二、および第三の生体材料窓がそれぞれ、前記カニューレ状にされた開口部と流体連通している、請求項３に記載のアセンブリ。
【請求項５】
前記第一および第二の生体材料窓が重複し、前記第二および第三の生体材料窓が重複する、請求項３に記載のアセンブリ。
【請求項６】
前記固定部材が、浅いねじ山を有する第一の部分と、深いねじ山を有する第二の部分とを含む、二重の内径を含む、請求項５に記載のアセンブリ。
【請求項７】
前記固定部材が３Ｄ印刷される、請求項１に記載のアセンブリ。
【請求項８】
前記ワッシャ部材が、複数の方向に傾斜し、回転し、または旋回されるように構成された、請求項１に記載のアセンブリ。
【請求項９】
前記ワッシャ部材が、隣接する骨に係合するように構成された一つまたは複数の係合面を含む、請求項１に記載のアセンブリ。
【請求項１０】
前記係合面が、前記歯が骨内に嵌めこまれるよう、内向きに先細にされた歯である、請求項９に記載のアセンブリ。
【請求項１１】
仙腸関節を固定するための固定ねじアセンブリであって、
ヘッド部材と、前記ヘッド部材に結合された複数のねじ山を含む骨係合部分とを含む固定部材であって、略球状外面を有し、前記骨係合部分が浅いねじ山を有する第一の部分と、深いねじ山を有する第二の部分と含む二重内径を含む、固定部材と、
前記ヘッド部材の周りの前記固定部材に動作可能に連結されたワッシャ部材であって、前記ワッシャ部材の内面が略球状であり、前記ヘッド部材の前記略球状外面に対応し、前記ワッシャ部材が前記固定部材の長軸方向軸に対して多軸移動が可能である、ワッシャ部材と、を備える固定ねじアセンブリであって、
前記骨係合部分が、第一の生体材料窓と、前記第一の生体材料窓に対して９０度ずれた第二の生体材料窓とを含み、
前記第一の生体材料窓および前記第二の生体材料窓が重複する、固定ねじアセンブリ。
【請求項１２】
前記固定部材が、前記固定部材の近位部分から遠位部分へ延在する開口部でカニューレ状にされる、請求項１１に記載のアセンブリ。
【請求項１３】
前記シャフトが、前記第二の生体材料窓に対して９０度ずれている第三の生体材料窓を含み、前記第二の生体材料窓と重複する、請求項１１に記載のアセンブリ。
【請求項１４】
前記第一、第二、および第三の生体材料窓がそれぞれ、前記カニューレ状にされた開口部と流体連通している、請求項１３に記載のアセンブリ。
【請求項１５】
前記固定部材の前記ヘッド部材が、前記ヘッド部材の最近位端に溝を含み、前記ワッシャ部材が、前記ワッシャ部材の最近位端にリップを含む、請求項１１に記載のアセンブリ。
【請求項１６】
前記ワッシャ部材が前記固定部材の前記長軸方向軸に対して十分に傾斜している場合、前記ワッシャ部材の前記リップが前記ヘッド部材の前記溝上で最も低くなる、請求項１５に記載のアセンブリ。
【請求項１７】
前記固定部材が３Ｄ印刷される、請求項１１に記載のアセンブリ。
【請求項１８】
前記ワッシャ部材が、複数の方向に傾斜し、回転し、または旋回されるように構成された、請求項１１に記載のアセンブリ。
【請求項１９】
前記ワッシャ部材が、隣接する骨に係合するように構成された一つまたは複数の係合面を含む、請求項１１に記載のアセンブリ。
【請求項２０】
前記係合面が、前記歯が骨内に嵌めこまれるよう、内向きに先細にされた歯である、請求項１９に記載のアセンブリ。
【発明の詳細な説明】
【技術分野】
【０００１】
[関連出願の相互参照]
本出願は、２０１７年１０月２７日に出願の、米国特許出願第１５／７９５，９２０号の一部継続出願であり、これは、２０１４年１２月８日に出願の、米国特許出願第１４／５６３，６９７号の一部継続出願であり、これは、２０１１年７月１５日に出願の、米国特許出願第１３／１８４，０２６号の継続出願であり、現在は放棄されており、すべての目的のため、その全体が参照により本明細書に組み込まれる。
【０００２】
本出願は一般に、固定インプラントに関し、特に、ねじインプラントに関する。
【背景技術】
【０００３】
脊椎の解剖学的構造では、仙骨は腰椎の底部にある大きな三角骨であり、仙骨は腰椎においてＬ５椎骨に接続する。仙骨は、右腸骨および左腸骨として知られる、二つの臀部骨に隣接している。仙骨は、仙腸関節（またはＳＩ関節）として知られる関節を介してこれらの骨に接続する。
【０００４】
仙腸関節は、脊椎から下肢へ力を伝達するのを支援する。仙腸関節の変性は、変性仙腸骨炎および炎症性仙腸骨炎などの疾患、ならびに、通常の老化および外傷に起因して起こり得る。変性した仙腸関節の一種の治療は、関節を固定することであり、これは最終的に痛みを緩和する。
【０００５】
したがって、仙腸関節の固定を支援する、改善されたインプラントが必要とされている。
【発明の概要】
【０００６】
骨固定を支援するため、様々な固定インプラントが提供されている。いくつかの実施形態では、仙腸関節を横切って埋め込むインプラントが提供されている。インプラントは、シャフトおよびヘッド部分を備える骨係合部分を含み、シャフトは複数のねじ山を含む。シャフトは、生体材料を受けて、仙腸関節の固定を支援するための生体材料窓を含む。インプラントはさらに、ヘッド部分周りでロック構成にあるように構成された可撓性のワッシャ部材を含み、ワッシャ部材は、ヘッド部分周りでワッシャ部材の拡張に適応する複数のスリットと、骨表面と係合するための一つまたは複数の係合部材とを含む。ワッシャ部材は、骨係合部分の長手方向軸に対して、多軸移動を可能にする。
【０００７】
いくつかの実施形態では、仙腸関節を横切って埋め込むためのインプラントは、シャフトおよびヘッド部分を備える骨係合部分を備え、シャフトは複数のねじ山を含む。シャフトは、腸骨、仙腸関節、仙骨の少なくとも一部分を横切って延在するための、約２５ｍｍ〜１１０ｍｍの長さを有し得る。インプラントは、ヘッド部分周りのロック構成にあるように構成された可撓性のワッシャ部材をさらに含む。ワッシャ部材は、ヘッド部分周りで拡張可能であり、骨表面を係合するための一つまたは複数の係合部材を含む。ワッシャ部材は、骨係合部分の長手方向軸に対して、多軸移動を可能にする。
【０００８】
いくつかの実施形態によれば、仙腸関節を固定するための固定ねじアセンブリは、固定部材およびワッシャ部材を含む。固定部材は、ヘッド部材と、ヘッド部材に結合された骨係合部分とを含む。ヘッド部材は略球状の外面と溝とを有する。ワッシャ部材は、内側環状リップを有する。ワッシャ部材は、ヘッド部材周りの固定部材に動作可能に結合される。ワッシャ部材の内面は略球状であり、ヘッド部材の略球状の外面に対応する。ワッシャ部材は、固定部材の長手方向軸に対して、多軸移動を可能にする。ワッシャ部材が固定部材の長手方向軸に対して十分に傾斜している場合、ワッシャ部材のリップはヘッド部材の溝上で最も低くなる。
【０００９】
さらに他の実施形態によれば、仙腸関節を固定するための固定ねじアセンブリは、固定部材およびワッシャ部材を含む。固定部材は、ヘッド部材と、ヘッド部材に結合された複数のねじ山を含む骨係合部分とを含む。ヘッド部材は略球状の外面を有する。骨係合部分は、浅いねじ山を有する第一の部分と、深いねじ山を有する第二の部分とを含む二重内径を含む。ワッシャ部材は、ヘッド部材周りの固定部材に動作可能に結合される。ワッシャ部材の内面は略球状であり、ヘッド部材の略球状の外面に対応する。ワッシャ部材は、固定部材の長手方向軸に対して、多軸移動を可能にする。
【００１０】
いくつかの実施形態では、仙腸関節を固定する方法が提供される。方法は、患者に切開部を形成することと、切開部を通って、腸骨に向かって横方向に固定ねじアセンブリを送達することであって、固定ねじアセンブリがワッシャ部材と、シャフトおよびヘッド部材を備える骨係合部分とを含み、ワッシャ部材がヘッド部材周りで骨係合部分に動作可能に結合され、ワッシャ部材が骨係合部分の長手方向軸に対して多軸移動が可能である、送達することと、ワッシャ部材が腸骨の表面に係合するまで、固定ねじアセンブリを、腸骨を通り、仙腸関節を横切って、仙骨内に駆動させることと、仙腸関節の固定を支援するよう、固定ねじアセンブリを所定位置に維持することと、を備える。
【図面の簡単な説明】
【００１１】
【図１Ａ】図１Ａは、いくつかの実施形態による、仙腸関節固定のための固定ねじアセンブリの正面図である。
【図１Ｂ】図１Ｂは、いくつかの実施形態による、ワッシャがロックされた構成にある、図１Ａの固定ねじアセンブリの正面図である。
【図２】図２は、いくつかの実施形態による、骨係合部分に対して傾斜したワッシャ部材の拡大横断面図である。
【図３】図３は、いくつかの実施形態による、生体材料窓を有する固定ねじアセンブリの正面図である。
【図４】図４は、いくつかの実施形態による、仙腸関節固定のためのラグねじアセンブリの正面図である。
【図５】図５は、いくつかの実施形態による、生体材料窓を有するラグねじアセンブリの正面図である。
【図６】図６は、いくつかの実施形態による、仙腸関節の固定を支援する、複数の固定ねじアセンブリを示す。
【図７】図７Ａ〜図７Ｆは、固定ねじアセンブリの代替的な実施形態の様々な図を示す。
【図８】図８Ａおよび図８Ｂは、固定ねじアセンブリの代替的な実施形態を示す。
【図９】図９Ａ〜図９Ｅは、固定ねじアセンブリのシャフト上の生体材料窓の位置付けの様々な実施形態を示す。
【図１０】図１０は、酸エッチング処理をしたねじアセンブリを示す。
【図１１】図１１Ａ〜図１１Ｆは、様々な方法で製造されたねじアセンブリを示す。
【図１２】図１２Ａ〜図１２Ｃは、様々な方法を使用して本体内でのねじアセンブリの位置付けを示す。
【発明を実施するための形態】
【００１２】
本発明の詳細な実施形態は本明細書に開示されているが、開示された実施形態は、本発明の単なる例示であり、これは様々な形態で具現化されうることを理解するべきである。したがって、本明細書に開示される特定の構造的および機能的詳細は、限定として解釈されるべきではなく、当業者であれば、実質的に任意の適切な詳細な構造において本発明を様々に用いるための特許請求の範囲として、また代表的な基礎として解釈されるべきである。
【００１３】
本出願は一般に、固定インプラントに関し、特に、ねじインプラントに関する。ねじインプラントを使用して、仙腸関節の固定を支援することができる。いくつかの実施形態では、ねじインプラントは、腸骨を通り、変性した仙腸関節通って仙骨へと導入され得る。埋め込み後、ねじインプラントは所定位置に留まり、仙腸関節の固定を支援する。
【００１４】
骨部材へのねじを埋め込む場合に伴う困難の一つは、不慮の後退である。腸骨は翼形状であり、表面が湾曲しているため、固定ねじが不慮に後退する問題が生じる。この問題に対処するために、本出願のねじインプラントは、腸骨から不慮に後退するのを防止またはそのリスクを低減させる機構を有利に提供する。特に、ねじインプラントは、ねじインプラントが不慮に後退するのを防止するのを支援する、簡単に組み立てられたワッシャ部材を含む。ワッシャ部材は有利なことに、ねじインプラントが腸骨に埋め込まれると、腸骨の輪郭に適合する柔軟性を有するように設計されている。
【００１５】
図１Ａは、いくつかの実施形態による、仙腸関節固定のための固定ねじアセンブリの正面図である。固定ねじアセンブリ５は、ヘッド部材３０に動作可能に結合されたシャフト１０を備える骨係合部分８を含む。固定ねじアセンブリ５はまた、ヘッド部材３０に近接して位置付けられるまで、シャフト１０を介して上方に装填されることができるワッシャ部材５０を含む。ヘッド部材３０に近接すると、ワッシャ部材５０は、ヘッド部材３０の周りに上向きに押し付けられ得（例えば、器具を使用して）、ヘッド部材３０の周りに確実に締結された、ロックされた構成に配置される。ロックされた構成にあると、固定ねじアセンブリ５は、腸骨などの骨部材に挿入され得、それによって固定（例えば、仙腸関節の）を支援することができる。
【００１６】
骨係合部分８のシャフト１０は、複数のねじ山１２を含む。図１Ａに示すように、ねじ山１２は、シャフト１０の長さの少なくとも大部分に沿って延在する。その他の実施形態では、ねじ山１２は、シャフト１０の少数部分に沿ってのみ延在する。いくつかの実施形態では、シャフト１０の骨係合部分８のねじ山１２は、二重の主ねじ山であるが、骨係合部分８の骨への挿入を容易にするために任意のタイプのねじ山が使用され得る。
【００１７】
骨係合部分８のシャフト１０はまた、骨部材への進入のための先端として機能する遠位部分１４を含む。遠位部分１４は、挿入プロセスを支援するために先細にすることができる。さらに、骨係合部分８が骨組織に埋め込まれるときに生成される粉、粉塵、または破片を除去するために、少なくとも一つのフルートが、遠位部分１４上または骨係合部分８の任意の他の部分に沿って提供され得る。さらに、いくつかの実施形態では、シャフト１０は、埋め込みを支援するため、ガイドワイヤまたはその他のタイプの器具を受けるようにカニューレ状であってもよい。
【００１８】
いくつかの実施形態では、固定ねじアセンブリ５のシャフト１０は、固定を支援するために、複数の骨部材を通って（例えば、腸骨および仙骨を通って）挿入される。複数の骨部材を通る挿入に適応するために、シャフト１０は有利なことに、約２０ｍｍ〜約１１０ｍｍ、または、約２５ｍｍ〜約１１０ｍｍの長さを有する。いくつかの実施形態では、固定ねじアセンブリ５のシャフト１０は、約６ｍｍ〜約１４ｍｍ、または約８ｍｍ〜１２ｍｍの直径または幅を有する。これらの範囲は有利なことに、以下でより詳細に論じるように、シャフト１０の内部内に生物学的材料を詰めることを可能にする。図１Ａおよび１Ｂに示すように、固定ねじアセンブリ５のシャフト１０は、アセンブリ５の長さの大部分に沿った直径において概して一定のままであることができ、それによって、有利なことに、骨ねじが骨組織内の所定の領域に挿入されるときの、最適なねじの位置付けを可能にする。しかしながら、その他の実施形態では、シャフト１０は、シャフト１０の遠位端に向かってその直径が狭くなるように、先細にすることができる。
【００１９】
シャフト１０は、ヘッド部材３０に動作可能に接続される。シャフト１０は、ネック部分３２を介してヘッド部材３０に移動する。いくつかの実施形態では、ネック部分３２は、シャフトの直径または幅と等しいかまたは小さい直径または幅を有する。ヘッド部材３０の頂部部分３４内には、ねじドライバ（図示せず）などの駆動器具を受けるように構成された係合部分がある。ねじドライバを使用して、固定ねじアセンブリ５を、腸骨および／または仙骨などの一つまたは複数の骨部材に駆動することができる。
【００２０】
固定ねじアセンブリ５は、骨係合部分８とのロックされた構成に簡単に組み立てられるワッシャ部材５０を含む。いくつかの実施形態では、ワッシャ部材５０は、固定ねじアセンブリ５のシャフト１０の周りに嵌合することができる円形穴を有する、リング形状または環状のカラーと似ている。ワッシャ部材５０は、ヘッド部材３０の周りにロックされるまで、シャフト１０上に摺動可能に上下に移動することができる。ワッシャ部材５０は、ヘッド部材３０の上でのワッシャ部材５０の拡張に適応し得る、一つまたは複数のスリット５２を含み、それによってワッシャ部材５０を、ヘッド部材３０の周りに組み立てられ、ロックされた構成に配置することができる。いくつかの実施形態では、ワッシャ部材５０は、固定ねじアセンブリ５のヘッド部材３０の周りに、ロックされた構成で予め組み立てられる（図１Ｂに示す）。スリット５２の反対にあるワッシャ部材５０の端において、ワッシャ部材５０は、固定ねじアセンブリ５が骨内に埋め込まれるとき、骨部材（例えば、腸骨）の表面と係合し得る、一つまたは複数の係合面または歯５４を含む。
【００２１】
有利なことに、ワッシャ部材５０は、骨係合部分８に対して可撓性および多軸である。すなわち、図２に最も良く示されるように、ワッシャ部材５０は、複数の方向に傾斜し、回転し、または旋回され得る。いくつかの実施形態では、ワッシャ部材５０は、骨係合部分８の長手方向軸に対して、約０度〜約３０度の角度、または約０度〜２４度の角度で位置付けられた中心軸を有し得る。
【００２２】
固定ねじアセンブリ５の構成要素は、様々な生体適合性材料から構成され得る。材料には、ステンレス鋼、合金、チタン、チタン系合金、または高分子材料が含まれるが、これらに限定されない。
【００２３】
動作時、横方向の圧縮力が固定ねじアセンブリ５に印加されると、骨係合部分８は、腸骨といった骨部材を通して駆動される。骨係合部分８が横方向に駆動するにつれて、ワッシャ部材５０はまた、骨部材の表面と係合する（図６に示す）。ワッシャ部材５０は、骨係合部分８とは異なる角度で骨部材に係合し得る。この相対角度調節により、有利なことに、骨係合部分８が異なる角度である場合でも、ワッシャ部材５０が骨部材（例えば、腸骨）の曲面と容易に係合できるようになる。さらに、骨係合部分８のヘッド部材３０に対して傾斜したワッシャ部材５０の圧縮力はまた、有利なことに、埋め込まれた固定ねじアセンブリ５が後退するのを防止する。
【００２４】
図２は、いくつかの実施形態による、骨係合部分に対して傾斜したワッシャ部材の拡大横断面図である。この図から、骨係合部分８のヘッド部材３０に対するワッシャ部材５０の角度調節が見える。また、ワッシャ部材５０とヘッド部材３０との間の物理的インターフェース７６も示されている。力が印加されると、ワッシャ部材５０は、インターフェース７６におけるヘッド部材３０との圧縮力で配置され、それによって、骨部材から骨係合部分８が不慮に後退するのを防止する。
【００２５】
図３は、いくつかの実施形態による、生体材料窓を有する固定ねじアセンブリの正面図である。固定ねじアセンブリ５は、生体材料窓１６をも含むこと以外は、図１Ａおよび１Ｂのアセンブリと類似している。天然材料および合成材料を含む生体材料は、生体材料窓１６に挿入され、骨の成長および固定を支援することができる。いくつかの実施形態では、例示の実施形態に示されるように、生体材料は長方形の窓を備える。生体材料窓は有利なことに、シャフト１０の長さの約１／４〜４／５の長さを有するため、所望の場合、複数の骨部材および／または関節を横切って拡張できる。いくつかの実施形態では、生体材料窓は、シャフト１０の長さの約１／３〜１／２の長さを有する。
【００２６】
図４は、いくつかの実施形態による、仙腸関節固定のためのラグねじアセンブリの正面図である。ラグねじアセンブリ１５は、図１の固定ねじアセンブリ５の特徴の多くを含み、骨係合部分８と、ヘッド部分と、ヘッド部分周りでロックするように構成されたワッシャ５０とを含む。ところが、固定ねじアセンブリ５とは異なり、ラグねじアセンブリ１５は、骨係合部分８とヘッド部分との間に延在する、実質的に滑らかなねじ山なし部分８０をさらに含む。いくつかの実施形態では、ラグねじアセンブリのねじ山部分およびねじ山なし部分は、連続的で頑丈な構成要素を形成する。
【００２７】
図５は、いくつかの実施形態による、生体材料窓を有するラグねじアセンブリの正面図である。図示した図に示すように、ラグねじアセンブリ１５は、生物学的材料が堆積され得る生体材料窓１６を含む。有利なことに、ラグねじアセンブリ１５は、生体材料窓１６がねじ山部分とねじ山なし部分８０の両方にわたって延在するように設計され得る。その他の実施形態では、生体材料窓１６は、ねじ山なし部分８０内にのみ延在する必要があるため、ラグねじアセンブリのねじ山は元の状態のままである。しかし、当業者であれば、所望の場合、生体材料窓は骨係合部分８のねじ山部分内に延在し得ることも理解するであろう。
【００２８】
図７Ａ〜図７Ｅは、その他の実施形態による仙腸関節固定のための固定ねじアセンブリ１０５の代替的な実施形態を示す。固定ねじアセンブリ１０５は、前述した固定アセンブリと類似している。そのため、同様の特徴が、同様の数字インジケータを参照して説明される。固定ねじアセンブリ１０５は、仙腸関節固定ねじとして特に好適であり得、また、移動の可能性を減少させつつ、仙腸関節固定で達成される固定を増加させることが意図されている。仙腸関節固定ねじアセンブリ１０５は、仙腸関節を横切って配置されてもよく、また、仙骨の軟質海綿骨および腸骨稜の硬質皮質骨を含む、変化する骨質を横断する。骨ねじでは、仙骨の海綿骨側においてねじのハローイングを引き起こす、仙骨と腸骨との間の骨質の劇的な変化に対応しないことが多い。二重内径を含む本明細書に記載の固定ねじアセンブリ１０５は、変化する骨質に対応するための様々なねじ山形態を提供する。さらに、ねじプロファイルは、皮質から海綿への解剖学的構造に配置されると、骨のてこ（ｐｕｒｃｈａｓｅ）を最大化する。一般に仙腸関節固定を参照して説明されるが、固定ねじアセンブリ１０５は、他の骨ねじ用途に利用され得ることが理解されるであろう。
【００２９】
図７Ａは、アセンブリ１０５の斜視図を提供する。固定ねじアセンブリ１０５は、固定部材１０２とワッシャ部材１５０とを含む。固定部材１０２は、近位部分１０４から遠位部分１１４に延在する。固定部材１０２は、複数のねじ山１１２を含む骨係合部分１０８を含む。固定部材１０２は、例えば、ネック部分１３２を通してヘッド部材１３０に動作可能に結合されるシャンクまたはシャフト１１０を備える。ヘッド部材３０は、係合部分３４を含む。係合部分３４は、ねじドライバ（図示せず）などの駆動器具を受けるように構成された、雌ねじ山部分および／またはソケット部分（例えば、六角形）を含み得る。ねじドライバを使用して、固定ねじアセンブリ１０５を、腸骨および／または仙骨などの一つまたは複数の骨部材に駆動することができる。六角形駆動特徴は、特に、固定部材１０２を硬質の皮質骨を貫通させる際にねじを駆動させるための大きな力を必要とするため、ねじのつぶれや器具のつぶれを防止するのに役立ち得る。
【００３０】
この実施形態では、シャフト１１０は、固定部材１０２の近位部分１０４から遠位部分１１４へ延在する開口部１０６でカニューレ状にされ、それによって、埋め込みを支援するためのガイドワイヤまたはその他のタイプの器具を受けることができる。カニューレ状にされる場合、固定アセンブリ１０５は最小限の侵襲的形態で挿入され得る。
【００３１】
シャフト１１０は、一つまたは複数の生体材料スロットまたは窓１１６、１１８を含み得る。生体材料窓１１６、１１８は、骨移植片で充填され、固定のため、または固定を向上させるため、仙腸関節を横切り、特にねじの長さが長い場合には、ねじの移動を防止する。第一の生体材料窓１１６は、以前に考察した生体材料窓１６と類似している。図７Ｅに示す横断面図で最も良く見られるように、第二の生体材料窓１１８は、遠位部分１１４の近くに提供され、第一の生体材料窓１１６に対して９０度ずれている。生体材料窓１１６、１１８は、そのそれぞれの幅よりも大きい装置１０２の長手方向軸に沿って延在する長さを有して、細長くてもよい。生体材料窓１１６、１１８はそれぞれ、カニューレ状の開口部１０６と流体連通している。生体材料スロットまたは窓１１６、１１８は、骨移植片材料で充填されてもよく、また、ねじの長さに沿って配置され、それによって、固定のために仙腸関節を横断する。追加の窓１１６、１１８は、骨移植片で充填されて、固定を強化し、特にねじの長さが長い場合には、装置１０５の移動を防止する。
【００３２】
図７Ｃの拡大斜視図および図７Ｄの拡大横断面図で最も良く見られるように、固定部材１０２のシャフト１１０は、二重内径を含み得る。二重内径ねじ１０２は、骨ねじシャフト１１０の二つの領域において、一定のピッチ１２８と一定の外径とを有する浅いねじ山１２４および深いねじ山１２６を提供する。ねじ１０２の近位部分１０４におけるねじ山１１２の一部分（皮質骨を固定することが意図されている）が浅いねじ山１２４を有する一方、ねじ１０２の遠位先端にあるねじ１１２の一部分（海綿骨を固定することを意図する）は深いねじ山１２６を有する。ピッチ１２８と一致して組み合わされた深いねじ山１２６は、浅いねじ山１２４内よりも多くの骨を深いねじ山１２６内に配置できるようにし、それによって、骨のてこ（ｐｕｒｃｈａｓｅ）の増加、引き抜きに対する抵抗の増加、および／または、より軟質で密度の低い骨における移動に対する抵抗の増加をもたらす。二重内径ねじ山は、装置１０５の固定の増加、移動の減少、引き抜きの減少、およびハローイングの減少を提供し得る。これは、ねじ長さに沿った様々な部品における、骨質の劇的な変化がある場合に有利である。一定の外径を有する、変化する内径の特徴により、近位部分１０４において浅いねじ山１２４、および、遠位部分１１４において深いねじ山１２６を可能にし、これは皮質骨から海綿骨を横切るには理想的であり得る。
【００３３】
固定ねじアセンブリ１０５はまた、ワッシャ部材１５０を含む。ワッシャ部材１５０は、固定ねじアセンブリ１０５のヘッド部材１３０の周りに嵌合することができる円形穴を有するリング形状または環状のカラーと似ていてもよい。ワッシャ部材１５０の内面は、実質的に球状であってもよく、ヘッド部材１３０の実質的に球状の外面に対応してもよく、それによって、多軸回転を可能にする。腸骨稜の解剖学的構造が傾斜しており、患者によって大幅に異なり得るため、固定部材１０２を横方向に埋め込む場合は、角度調節が必要となり得る。
【００３４】
ワッシャ部材１５０は、内側環状リップ１５２を有する。図７Ｂに示す拡大断面図で最も良く見られるように、ワッシャ部材１５０が傾斜している場合、ワッシャ部材１５０の頂部にあるリップ１５２の一部分は、球状のヘッド部材１３０の頂部上の溝１３６上において最も低くなる。ねじヘッド１３０上の溝１３６と結合されたワッシャ部材１５０上のリップ１５２は、埋め込み中の分解を防止するために、ねじシャンク１１０の均分円の下でワッシャ部材１５０の一部分を維持しながら、最大の角度調節を可能にし得る。仙腸関節ねじが横方向に埋め込まれる場合、様々な腸骨稜の解剖学的構造に適応させるために、角度調節が重要であり得る。インプラントによって最小限の角度調節のみが提供された場合、ワッシャの一部分は骨内には着座せず、軟組織では自由に浮遊することになる。
【００３５】
ワッシャ部材１５０は、複数の方向に傾斜し、回転し、または旋回され得る。ワッシャ部材１５０は、ヘッド部材１３０の周りにロックされるまで、シャフト１１０上に摺動可能に上下に移動することができる。ワッシャ部材１５０は、固定ねじアセンブリ１０５５が骨内に埋め込まれるとき、骨部材（例えば、腸骨）の表面と係合し得る、一つまたは複数の係合面または歯１５４を含み得る。歯１５４は、ワッシャ部材１５０の底部上に提供されて、骨内に把持され、ユーザに触覚的なフィードバックを提供し得る。ワッシャ部材１５０の底歯１５４は、ワッシャ部材１５０の歯１５４が骨内に嵌めこまれて、さらに低プロファイルのインプラントを提供し、触覚的なフィードバックを維持できるように、内向きに先細であってもよい。同様に、ワッシャ部材１５０の外側外面の底部は、ワッシャ部材１５０の歯１５４が骨内に嵌めこまれる場合があり、さらに低プロファイルのインプラントを提供するが、触覚的なフィードバックを維持できるように、内側に先細でありうる。ワッシャ部材１５０の外径は、ワッシャ歯１５４の一部分が常に骨に接触するように、ヘッド部材１３０の外径より大きい。ワッシャ部材１５０は、固定部材１０２の頂部から固定部材１０２上に組み立てられ、アセンブリ１０５が埋め込み後に取り外される場合は、ワッシャ部材１５０が固定部材から分解されないようにし得る。このように、ワッシャ部材１５０は、ワッシャ部材１５０が頂部からねじシャンク１１０上に組み立てられるため、取り外し中にねじシャンク１１０から分解することはできない。
【００３６】
図７Ｆは、横断面図のワッシャ部材１５１の別の実施形態を示す。ワッシャ部材１５１は、ヘッド部材１３１の周りにロックされるまで、シャフト１１１上に摺動可能に上下に移動することができる。ワッシャ部材１５１は、固定ねじアセンブリが骨内に埋め込まれるとき、骨部材（例えば、腸骨）の表面と係合し得る、一つまたは複数の係合面または歯１５３を含み得る。歯１５３は、ワッシャ部材１５１の底部上に提供されて、骨内に把持され、ユーザに触覚的なフィードバックを提供し得る。ワッシャ部材１５０の底歯１５３は、ワッシャ部材１５１の歯１５３が骨内に嵌めこまれて、さらに低プロファイルのインプラントを提供し、触覚的なフィードバックを維持できるように、内向きに先細であってもよい。同様に、ワッシャ部材１５１の外側外面の底部は、ワッシャ部材１５１の歯１５３が骨内に嵌めこまれ、さらに低プロファイルのインプラントを提供するが、触覚的なフィードバックを維持できるように、内向きに先細でありうる。ワッシャ部材１５１の構成によって、極端な角度調節が可能となる。ワッシャ部材の一部分は、埋め込み中の分解を防止するために、最大の角度調節が達成されると、常にねじヘッドの均分円下に留まるように構成される。ワッシャ部材１５１の底面上の歯１５３はまた、ユーザに触覚的なフィードバックを提供する。ワッシャ部材の外径は、ワッシャ歯１５３の一部分が常に骨に接触するように、ねじの外径より大きい。
【００３７】
アセンブリ１０５と同様に、固定ねじアセンブリ１０５の構成要素は、様々な生体適合性材料から構成され得る。材料には、ステンレス鋼、合金、チタン、チタン系合金、または高分子材料が含まれるが、これらに限定されない。固定ねじアセンブリ１０５の構成要素は、オッセオインテグレーションを改善するために、コーティングされ、粗化され、またはその他の方法で処理され得る。インプラントは、従来の方法、画像ガイド方法、またはその他最小限の侵襲的手順を使用して、駆動および挿入され得る。固定ねじアセンブリ１０５は、例えば、仙腸関節固定を達成するために、横方向または後方に埋め込まれてもよい。
【００３８】
図８Ａに示す別の実施形態では、ねじアセンブリ１６０は、一つまたは複数の生体材料スロットまたは窓１６２、１６４、１６６を含み得る。生体材料窓１６２、１６４、１６６は、骨移植片で充填され、固定のために仙腸関節を横切り、または、固定を向上させ、特にねじの長さが長い場合には、ねじの移動を防止する。図８Ａに示す横断面図で最も良く見られるように、第二の生体材料窓１６４は、遠位部分の近くに提供され、第一の生体材料窓１６２に対して９０度ずれている。第三の生体材料窓１６６は、シャフトの遠位端により近くても提供され、第一および第二の生体材料窓よりも小さな直径を持つように構成される。生体材料窓１６２、１６４、１６６は、そのそれぞれの幅よりも大きい装置の長手方向軸に沿って延在する長さを有して、細長くてもよい。生体材料窓１６２、１６４、１６６はそれぞれ、カニューレ状の開口部と流体連通している。生体材料スロットまたは窓１６２、１６４、１６６は、骨移植片材料で充填されてもよく、また、ねじの長さに沿って配置され、それによって、固定のために仙腸関節を横断する。生体材料窓の幾何学形状は、隣接する固定領域の間に間隙がないように構成される。仙腸関節はすべての患者において極端に可変であり、幅が最小限であるため、関節を横切る固定領域が、隣接する固定領域の間に間隙を必要としないことを確実にする。ねじ強度を損なわないために、隣接する生体材料窓は互いに垂直に配置され、可能な限り多くの断面積を維持するよう、重複するセクション内において先細になっている。
【００３９】
図８Ｂは、ねじアセンブリ１６８のさらに別の実施形態を示す。この実施形態では、シャフトに二つの生体材料窓１７０、１７２が提供されている。第一の生体材料窓１７０はねじヘッド１７４のより近くに位置付けられ、第二の生体材料窓１７２はシャフト１７６の遠位端により近く位置付けられる。第一および第二の生体材料窓は、互いに垂直であり、重複する。ねじアセンブリのシャフトもカニューレ状である。図９Ａ〜９Ｅは、ねじアセンブリのシャフト上の生体材料窓の様々な構成を示す。図９Ａは、三つの生体材料窓を有するねじアセンブリのシャフトを示し、生体材料窓のうちの二つが第一の平面にあり、且つ、第三の生体材料窓は９０度ずれており、第一および第二の生体材料窓と重複するように構成されている。図９Ｂは、ねじアセンブリのシャフトに第一の平面において一つの細長い生体材料窓と、二つのより小さな円形または楕円形の窓を備える実施形態を示す。この実施形態はまた、第一の平面から９０度ずらされた、さらに三つの円形または楕円形の窓を提供し、第一の平面の二つの円形の窓に重複するよう構成される。図９Ｃは、第一の平面に先端が第一のビュレットである生体材料窓と、９０度ずらされた第二の平面に先端が第二のビュレットである生体材料窓とを有するねじアセンブリのシャフトを示す。先端が第一のビュレットである生体材料窓および先端が第二のビュレットである生体材料窓は、互いに重複するように構成される。図９Ｄおよび図９Ｅは、第一および第二の生体材料窓が９０度ずらされて重複しているねじアセンブリのシャフトの追加的実施形態である。より具体的には、図９Ａ、図９Ｃ、および図９Ｅに示すように、生体材料窓は先細であってもよい。生体材料窓は、骨の成長を可能にする任意の形状で形成され得ることに留意すべきである。
【００４０】
生体材料窓の重複する幾何学的形状は、挿入点または軌道に関係なく、固定領域が関節を横切ることを確実にする。複数の固定領域は、ねじの長さに沿った固定の可能性を増加させて、ねじの移動を減少させることを目的としている。これは、様々な患者の解剖学的構造、様々な骨質、および様々な軌道に適応するのに有利である。ねじアセンブリのシャフトはまた、骨移植片で充填され、固定のために、または、固定を向上させるために仙腸関節を横切り、特にねじの長さが長い場合には、ねじの移動を防止することが意図された、いくつかの重複する垂直スロットを含み得る。図８Ａおよび図８Ｂに示したねじアセンブリもカニューレ状である。
【００４１】
図１０は、レーザー彫り出し処理で構成されたねじアセンブリを示す。ねじにナノチューブ処理を加えて、オッセオインテグレーションおよび抗菌特性を改善し得る。また、減算処置は、ねじの構造完全性を損なわないように、ねじ山の小径に適用されてもよい。この処置は、ひび割れが伝播する可能性を低減するために、生体材料窓の鋭い端からずらされてもよい。減算処置は、ねじの全長に沿って、または仙骨と接触するねじの部分にのみ、適用され得る。減算処置は、ねじの穴のある部分の近くでは省略されてもよい。
【００４２】
図１１Ａ〜図１１Ｆは、様々な方法で製造されたねじアセンブリを示す。具体的には、図１１Ａは、ねじアセンブリが機械加工され、組み立てられたねじであることを示す。図１１Ｂは、酸エッチング加工されたねじである。図１１Ｃは、レーザー彫り出しのある、機械加工されたねじである。図１１Ｄは、生体材料窓内に位置付けられた、３Ｄ印刷された骨プラグを含む、機械加工されたねじである。図１１Ｅは、３Ｄ印刷されたねじである。図１１Ｆは、生体材料窓内に位置付けられた、３Ｄ印刷された多孔性プラグを有する３Ｄ印刷されたダボである。
【００４３】
[方法]
上述の固定ねじアセンブリおよび／またはラグねじアセンブリは、さまざまな外科手術方法、特に仙腸関節の固定に関わるものに使用され得る。ねじアセンブリは、最小限の侵襲で挿入され、一つまたは複数の経皮的送達器具を使用して挿入され得る。
【００４４】
いくつかの実施形態では、用途には、
ａ．患者に切開部を形成することであって、切開部が約７ｍｍ〜３３ｍｍの幅を有する、形成することと、
ｂ．固定ねじアセンブリを挿入するための横方向のアプローチを提供するよう、切開部を通してガイドスリーブを経皮的に挿入することと、
ｃ．ガイドスリーブを通して固定ねじアセンブリを挿入することであって、固定ねじアセンブリが可撓性のワッシャ部材と、シャフトおよびヘッド部分とを備える骨係合部分を含み、ワッシャ部材がヘッド部分周りにロックされた構成で予め組み立てられており、ワッシャ部材がシャフトおよびヘッド部分に対して多軸に移動するよう構成された、挿入することと、
ｄ．腸骨、仙腸関節、および仙骨を通して固定ねじアセンブリを駆動させるようねじドライバを使用することと、
ｅ．ワッシャ部材が腸骨の表面に対して圧縮されるまで、骨部材を通して固定ねじアセンブリを駆動することであって、それによって固定ねじの後退を防止するのに役立つ、駆動することと、
ｆ．仙腸関節の固定を支援するよう、固定ねじを所定の位置に維持することと、を含む外科的方法が含まれる。
【００４５】
上述のプロセスは、二つ、三つ、またはそれ以上の固定ねじアセンブリが仙腸関節を横切って配置されるまで、複数回繰り返すことができる。有利なことに、いくつかの実施形態では、仙腸関節の固定を安定させ、且つ、支援するために、少なくとも二つの固定ねじアセンブリが提供される。いくつかの実施形態では、図６に示すように、少なくとも三つの固定ねじアセンブリが提供されている。図示した実施形態に示すように、固定ねじアセンブリ５ａ、５ｂ、および５ｃは、可変長さのシャフト１０を有する骨係合部分８を含み得る。例えば、固定ねじアセンブリ５ａおよび５ｃは、腸骨７、仙腸関節１１、および仙骨９の一部分を通って埋め込まれるのに十分長いシャフト１０を有する一方、固定ねじアセンブリ５ｂは、腸骨７の一部分を通過するのみの、相対的に短いシャフトを有する。
【００４６】
上述のプロセスは横方向のアプローチを説明しているが、当業者であれば、固定ねじアセンブリおよび／またはラグねじアセンブリの挿入を、前方および後方になど、その他のアプローチを介して実施することができることを理解するであろう。例えば、図１２Ａ、図１２Ｂ、および図１２Ｃは、ねじアセンブリを位置付けるための様々なアプローチを示す。図１２Ａは、ねじアセンブリが横方向のアプローチで位置付けられる方法を示す。図１２Ｂは、ねじアセンブリが、ねじアセンブリを中央から横方向に配置する後方アプローチに位置付けられる方法を示し、図１２Ｃは、ねじアセンブリが、ねじアセンブリを横方向から中央に配置する後方アプローチに位置付けられる方法を示す。さらに、本出願に包含されるプロセスは、上述のステップに限定されない。例えば、生物学的材料が固定ねじアセンブリに導入され（例えば、生体材料窓を介して）、それによって仙腸関節の固定を助ける、追加的なステップを提供することができる。
【００４７】
当業者には、本開示の範囲または精神から逸脱することなく、修正および変形が本開示でなされ得ることが明らかであろう。さらに、改善されたインプラントおよび関連する使用方法は、上述の物体、利点、特徴および態様のすべてを特徴とする必要はない。よって、例えば、当業者は、本明細書に教示または推奨され得る他の物体または利点を必ずしも達成することなく、本明細書に教示されるように、一つの利点または利点の群を達成または最適化する方法で本発明を具現化または実行できることを認識するであろう。さらに、本発明の多数の変形が示され、詳細に記述されてきたが、本発明の範囲内である他の修正および使用方法は、本開示に基づいて当業者にとって容易に明らかであろう。これらの特定の特徴および実施形態の態様の様々な組み合わせまたはサブ組み合わせが作製され、まだ本発明の範囲内にあることが意図されている。従って、開示された実施形態の様々な特徴および態様を、考察したスペーサインプラントの様々なモードを形成するために、互いに組み合わせるかまたは置換できることを理解すべきである。よって、添付の特許請求の範囲またはそれらの等価物の範囲内にあるという条件で、本発明は、この発明の改変例および変形例を含むことを企図している。
【図１Ａ】
2020032187.tif 000003
【図１Ｂ】
2020032187.tif 000004
【図２】
2020032187.tif 000005
【図３】
2020032187.tif 000006
【図４】
2020032187.tif 000007
【図５】
2020032187.tif 000008
【図６】
2020032187.tif 000009
【図７−１】
2020032187.tif 000010
【図７−２】
2020032187.tif 000011
【図８Ａ】
2020032187.tif 000012
【図８Ｂ】
2020032187.tif 000013
【図９】
2020032187.tif 000014
【図１０】
2020032187.tif 000015
【図１１】
2020032187.tif 000016
【図１２】
2020032187.tif 000017
【外国語明細書】
2020032187000001.pdf